(57)【要約】  ラシ毛担体と、これに成形されたブラシ毛（１）とを備えたアプリケータにおいて、ブラシ毛（１）の表面が、少なくとも部分的に微細構造化されていて、これは、この微細構造化された表面の領域中に、複数の粒（２、３）がブラシ毛コア（４）から乱雑に突出し、これらの粒が、これらの粒の外側表面の４０％未満、より良くは３５％未満のみに沿って、ブラシ毛コア（４）に連結されていて、粒の平均直径（φＭ１、φＭ２）が１２５μｍ以下であり、より良くは９０μｍ以下であることにより行われる、アプリケータ。
2019528923.tif 000002
【特許請求の範囲】
【請求項１】
ブラシ毛担体と、これに成形されたブラシ毛（１）とを備えたアプリケータにおいて、
前記ブラシ毛（１）の表面が、少なくとも部分的に微細構造化されていて、
これは、前記微細構造化された表面の領域中に、複数の粒（２、３）がブラシ毛コア（４）から乱雑に突出し、前記粒が、前記粒の外側表面の４０％未満、より良くは３５％未満のみに沿って、前記ブラシ毛コア（４）に連結されていて、前記粒の平均直径（φＭ１、φＭ２）が１２５μｍ以下であり、より良くは９０μｍ以下であることにより行われることを特徴とする、アプリケータ。
【請求項２】
化粧品塗布表面を備えたアプリケータにおいて、
前記化粧品塗布表面の表面が、少なくとも部分的に微細構造化されていて、
これは、前記微細構造化された表面の領域中で、複数の粒（２、３）が前記化粧品塗布表面から乱雑に突出し、前記粒が、前記粒の外側表面の４０％未満、より良くは３５％未満のみに沿って、前記化粧品塗布表面に連結されていて、前記粒の平均直径（φＭ１、φＭ２）が１２５μｍ以下であり、より良くは９０μｍ以下であることにより行われることを特徴とする、アプリケータ。
【請求項３】
前記粒（２、３）は、第１の粒（２）を含み、または完全に第１の粒（２）からなり、かつ平均直径（φＭ１）は、少なくとも３０μｍ、かつより良くは少なくとも４０μｍであることを特徴とする、請求項１または２に記載のアプリケータ。
【請求項４】
前記第１の粒（２）間またはこれに接する位置で、複数の第２の粒（３）が乱雑に分布していて、前記第２の粒は、請求項１の記載のように前記ブラシ毛コア（４）から、および／または、相応の方法で前記第１の粒（２）から突出していて、前記第２の粒の平均直径（φＭ２）は３０μｍ未満で、より良くは２５μｍ未満であることを特徴とする、請求項１〜３のいずれか１項に記載のアプリケータ。
【請求項５】
ブラシ毛外被の面積は、いずれにせよ１ｍｍ２であり、この上に、少なくとも５個の、より良くは少なくとも８個の第１の粒（２）が、上述のように突出することを特徴とする、請求項１〜４のいずれか１項に記載のアプリケータ。
【請求項６】
前記第１の粒（２）が、その周囲に沿って前記ブラシ毛コア（４）と連結されている箇所と、自由で開かれて外側に突出する前記第１の粒（２）の最大の周囲（φＭａｘ）との間で、少なくとも局所的に、好ましくは周囲の少なくとも７０％で、アンダーカット（５）が存在することを特徴とする、請求項１〜５のいずれか１項に記載のアプリケータ。
【請求項７】
１ｍｍ２の面積上に、アンダーカット（５）を有する複数の粒（２）が存在していて、前記粒は直接隣接するように位置付けられていて、
前記粒（２）は、接触し合わず、かつ、実質的に半径方向（Ｒ）で見ると、それぞれ前記ブラシ毛コアと繋がれている領域（Ｂ）の上方で、互いに対して最小の間隔（ＫＡ）を有し、この箇所から、前記ブラシ毛コア（４）に繋がれている前記領域（Ｂ）まで、その間隔が再び大きくなることを特徴とする、請求項６に記載のアプリケータ。
【請求項８】
前記微細構造化されたブラシ毛部分の、前記自由で開かれた表面の少なくとも３０％は、半径方向のアンダーカット（５）の領域中に存在することを特徴とする、請求項１〜７のいずれか１項に記載のアプリケータ。
【請求項９】
前記ブラシ毛担体は、周囲のブラシ毛間のブラシ毛のない領域中で、自由で開かれた表面を有し、少なくとも部分的に微細構造化されていて、
これは、前記微細構造化された表面の領域中で、複数の第１の粒が前記ブラシ毛コアから突出し、前記複数の第１の粒が、その外側表面の４０％未満、より良くは３０％未満のみに沿って、前記ブラシ毛コアと連結されていて、前記粒の平均直径が１２５μｍ以下であり、より良くは９０μｍ以下であることにより行われることを特徴とする、請求項１〜８のいずれか１項に記載のアプリケータ。
【請求項１０】
前記アプリケータコアないしブラシ毛担体は、ブラシ毛のないまたはブラシ毛付け根を備えたプラスチック成形部分または金属部分であり、その上に層として塗布されたブラシ毛を備えていることを特徴とする、請求項１〜９のいずれか１項に記載のアプリケータ。
【請求項１１】
前記ブラシ毛の一部は射出成形されたブラシ毛であり、前記ブラシ毛間に、後の時点で、成形を行う層形成方法を用いて追加的にブラシ毛が取り付けられていることを特徴とする、請求項９に記載のアプリケータ。
【請求項１２】
深さ２／１０ｍｍまで、より良くは深さ４／１０ｍｍまで計測されるアプリケータの縁層の支持部分の割合は５０％以下であることを特徴とする、請求項１〜１２のいずれか１項に記載のアプリケータ。
【請求項１３】
請求項１０に記載のアプリケータの製造方法において
射出成形部として、アプリケータコアないしブラシ毛担体を製造し、前記アプリケータコアないしブラシ毛担体には、上にブラシ毛を層として塗布する前に、処理、好適にはコロナ処理を施し、前記処理は、前記アプリケータコアまたはブラシ毛担体の表面張力を高め、かつ好ましくは、前記表面張力の極性成分を高めるように設定されていることを特徴とする、方法。
【請求項１４】
前記アプリケータコアないしブラシ毛担体の材料の前記表面張力は、塗布されるべき材料の表面張力よりも大きく設定されることを特徴とする、請求項１３に記載の方法。
【発明の詳細な説明】
【技術分野】
【０００１】
本発明は、好ましくは、微細構造化された表面を有するブラシ毛を備えたアプリケータに関し、さらに、本発明は、ブラシ毛のないアプリケータについての選択肢も提供する。
【背景技術】
【０００２】
ブラシ毛で縁付けしたアプリケータの分野では、基本的にワイヤコアアプリケータ（この場合、短く切断されたフィラメントの形態のブラシ毛が、互いにより合わされた２つのワイヤコア間で挟まれて保持される）と、射出成形されたアプリケータ（この場合、アプリケータのコアは、射出成形の途中で、このコアに成形されるブラシ毛と共に製造される）とが区別される。この場合、各ブラシ毛について、個々のブラシ毛用型穴が存在し、この中にプラスチックペーストが入れられ、これによりブラシ毛が成形される。
【０００３】
特に、射出成形されるブラシ毛においては、ブラシ毛の表面が非常に滑らかであるので、そのブラシ毛に付着する化粧品ペーストの貯蔵能力が限られてしまうとの深刻な問題が生じる。したがって、従来、通常ブラシ毛間の間隙を様々に構成することにより、アプリケータ貯蔵能力を改良するような試みが行われてきた。ブラシ毛間に貯蔵部を置き、この中に、より多くのペーストを貯蔵することができるようにされた。
【０００４】
これ以外の提案は、ブラシ毛の代わりに、非常に吸収性がありしたがって顕著な量のペーストを貯蔵することができるフロック加工部を用いることである。しかし、この種のアプリケータは、より多い量の化粧品ペーストを移さねばならないのみならず、マスカラアプリケータのように、櫛ときまたはカールが望まれる場合にはむしろ欠点となる。さらに、フロック加工部の場合に用いられる接着剤には欠点がある。この接着剤は、小さなフロック片が付着してしまうという欠点があり、これにより精確に規定された表面性質であって、偶然に依存することが少ない表面性質を得ることは難しくなる。さらに、この接着剤は、これが添加されることにより、大概の場合、すでに素材に設けられている輪郭に対する効果がない。
【０００５】
これに基づき、ＰＣＴ／ＥＰ２０１５／０６７６９４により、射出成形の途中でプラスチックマトリックス中に固体粒子が埋め込まれていて、これらが部分的に外側に向かって、射出されたブラシ毛のプラスチック表面を越えるようなブラシ毛もすでに提案されている。この技術は、それ自体非常に成功裡に機能する。応用例によっては、この技術には欠点があるが、これは、固体粒子が突き出ているサイズ、および突き出た幾何学形状にほぼ変化しにくいまたは全く変化しえないという点で、ある種の欠点が生じる。
【発明の概要】
【発明が解決しようとする課題】
【０００６】
これに対して本発明の課題は、ブラシ毛のペースト貯蔵力のさらなる改良および調整性を達成することである。
【課題を解決するための手段】
【０００７】
この課題は、ブラシ毛担体と、これに成形されたブラシ毛とを備えたアプリケータの発明により解決できる。このブラシ毛の際立つ点は、その表面が微細構造化されている点である。この微細構造部は、部分的にのみ取り付け可能で、例えば、ブラシ毛を周囲方向で取り囲む局所的な環状部の形状で、またはブラシ毛の縦軸の方向でこれに沿って伸張する局所的な筋状部の形状で取り付け可能である。好ましくはブラシ毛の表面の主な部分が微細構造化されていて、理想的な場合ブラシ毛全体が微細構造化されている。
【０００８】
この微細構造化は、微細構造化された表面の領域中で、複数の粒がブラシ毛コアから乱雑に突出することにより行われる。本発明の意味合いでは、乱雑に突出するとは、列もしくはマトリックスフィールドのまたは反復パターンを備えたある方向性を持った配置に対して、偶然による配置であると理解される。
【０００９】
上述の粒が際立っている点は、これらの粒の、元の自由で開かれた外側表面の４０％未満、またはより良くは３５％未満に沿ってのみ、ブラシ毛コアと連結されている点である。表面の連結されていない部分は、外側に向かって自由で開かれて突出していて、したがって、化粧品ペーストでぬらすために利用可能である。
【００１０】
個々の粒の平均直径は、１２５μｍ以下であり、好適には９０μｍ以下である。粒の平均直径とは、本発明では、ここおよびいずれの箇所においても、該当する粒（これをブラシ毛コアから外したと想定した場合）がまだ中に内接されうる仮想の最も小さい球の直径である。
【００１１】
比喩的に言うと、本発明の教示は、ブラシ毛の表面に、目標を定めてある数の「シュトロイゼル」を装備し、これが広範囲でこの表面に制御可能な粗さを与えるとの趣旨である。この粗さは、目標を定めて、ブラシ毛のぬれ性とともに、および／またはブラシ毛への化粧品ペーストの接着を改良するために利用されうる。このようにして、目標を定めて、ブラシ毛表面の貯蔵力を、ブラシ毛により移されるべき化粧品およびその流動学的な特性にそれぞれ合わせることができる。
【００１２】
この表面構造は、射出成形の場合は制御可能ではない。したがって、射出成形ではこの種の微細構造部は実施可能ではない。しかし、微細構造部化は、「ラピッドプロトタイピング（高速試作）」分野において公知である３次元プラスチックプリントないしプラスチックのレーザー焼結によっても良好に作ることができ、ないし一般的には、成形を行う層形成方法により作ることができる。この場合、溶融時間をうまく制御せねばならないのみで、その結果、広範囲に渡る平坦な表面が溶融されるのではない。これに代えて、原材料として用いられる粒が、部分的におよび局所的にのみ、対応する局所的な融合により、ブラシ毛コアと連結されるように、レーザー光線が偏向されおよび／またはフォーカシングされる。さらに、制御は、採用される顆粒の平均粒径を介して達成されうる。
【００１３】
本発明のさらなる課題
【００１４】
本発明のこれ以外の課題は、ブラシ毛のないアプリケータのペースト貯蔵力のさらなる改良および設定可能性を達成することである。
【００１５】
さらなる課題の本発明による解決方法
このさらなる課題を解決するために、特別に構造化された化粧品塗布表面を備えたアプリケータを示す。ここでは、化粧品塗布表面とは、いずれにしても（柄および閉鎖蓋のない）アプリケータ体自体が、完全に半径２ｃｍで、長さ８ｃｍの仮想の円筒中に収まるような精巧なアプリケータの表面であると理解される。
【００１６】
この化粧品塗布表面は、ブラシ毛間でブラシ毛域の領域中にある個々の表面とともに、ブラシ毛外被から形成された複数の個々の表面からなる。しかし、好適には、これは、突出するブラシ毛、フィンガーまたはピンなしに構成されたアプリケータの化粧品塗布表面である。
【００１７】
本発明による化粧品塗布表面が際立つ点は、その表面が微細構造化されている点である。この微細構造部は、部分的にのみ取り付け可能であり、例えばアプリケータを周囲方向で取り囲む局所的な環状部、または、好ましくは整列したパターンとして全化粧品塗布表面上に配置されている局所的な島状部の幾何学的形状である。好ましくは化粧品塗布表面のほとんどの部分、理想的な場合全化粧品塗布表面が微細構造化されている。
【００１８】
微細構造化は、この場合も、微細構造化された表面の領域中で、複数の粒が乱雑にブラシ毛コアから突出することにより行われる。乱雑に突出するとは、本発明の意味合いでは、列またはマトリックスフィールド状のまたは反復パターンを備えたある方向性を持った配置に対して、偶然による配置であると理解される。
【００１９】
上述の粒の際立つ点は、これらの粒が、元の自由で開かれた外側表面の４０％未満、またはより良くは３５％未満のみで、ブラシ毛コアと連結されている点である。表面の連結されていない部分は、自由で開かれていて外側に向かって突出していて、したがって、化粧品ペーストで湿らせるために利用可能である。
【００２０】
個々の粒の平均直径は１２５μｍ以下であり、かつ好適には９０μｍ以下である。粒の平均直径とは、本発明では、ここおよびいずれの箇所においても、該当する粒（これをブラシ毛コアから外したと想定した場合）がまだ中に内接されうる仮想の最も小さい球の直径である。
【００２１】
比喩的に言うと、本発明の教示は、化粧品塗布表面に、目標を定めてある数の「シュトロイゼル」を装備し、これが広範囲でこの表面に制御可能な粗さを与えるとの趣旨である。この粗さは、目標を定めて、化粧品塗布表面のぬれ性とともに、および／または化粧品塗布表面への化粧品ペーストの接着を改良するために利用されうる。このようにして、目標を定めて、化粧品塗布表面の貯蔵能力を、化粧品塗布表面により移されるべき化粧品およびその流動学的な特性にそれぞれ合わせることができる。
【００２２】
この表面構造は、当然もはや射出成形途中には制御可能ではなく、したがって、ここでは、上で挙げた製造についての指摘は該当しない。
【００２３】
好適な構成の可能性
上述の双方の場合において、表面の微細構造化のために用いられる粒セットが、平均直径が３０μｍ以上でより良くは４０μｍ以上である第１の粒を含み、または完全にこの粒からなる場合に合目的であると判明した。この種の粒は、小さいが、小さすぎず、大概の場合、通常の化粧品用ペーストと、これらの粒を用いて微細構造化されたブラシ毛との間の特に良好な接触を作ることができる。
【００２４】
多くの場合、第１の粒の間またはこれに接する位置に、複数の第２の粒が分布していて、これらが、本発明に記載のようにブラシ毛コアから突出していて、および／または、相応に第１の粒から突出していて、これらの平均直径が３０μｍ以下、またはより良くは２５μｍ以下であると好都合である。この種のより小さい第２の粒の散乱により、湿らすことができる表面をさらにより拡大し、例えば臨界の化粧品物質の場合に、滴下を遅らせるために寄与することができる。
【００２５】
すでに冒頭で述べたように、ブラシ毛は、その全表面上に本発明による微細構造部を有するには及ばない。ブラシ毛外被がいずれにしても１ｍｍ２の面積を有し、その上に少なくとも５つ、より良くは少なくとも８つの粒が上述のように突出する場合に十分でありえる。
【００２６】
大きい面積の微細構造部では、理想的には、この寸法は微細構造化された面積の全部分または少なくとも大部分で維持される。
【００２７】
特に好都合であるのは、第１の粒が、その周囲に沿ってまたはその周囲に接する位置でブラシ毛コアと連結されている箇所と、自由に外側に向かって突き出た第１の粒が有する最大の周囲との間に、少なくとも局所的に、好ましくは周囲の少なくとも７０％まででアンダーカットが存在する場合であると判明した。このようにして、該当する粒が、形状締結で、ブラシ毛が積み込んだ化粧品ペーストの層中に錨のように潜り、かつこれにより化粧品ペーストの特に良好な保持に役立つ。
【００２８】
微細構造化された表面が化粧品ペーストに対して発揮する保持機能がまたさらに改良されうるが、これは、１ｍｍ２の面積上に上述の種類の複数のアンダーカットを有する粒が複数存在することができ、これらが直接隣接して位置付けられていることにより行われる。その際、これらの粒どうしは接触すべきではなく、実質的に半径方向に見ると、これらの粒がそれぞれブラシ毛コアと繋がっている領域の上方で、互いに対して最小間隔を有し、その位置から、これらの粒がコアにつながっている領域までの間で、この距離が再び大きくなる。
【００２９】
この際、特に好都合であるのは、表面の微細構造部が、ブラシ毛の自由で開かれた表面の少なくとも２５％、より良くは少なくとも３０％が、半径方向のアンダーカットの領域中にあるように制御される場合である。「自由で開かれた表面」との概念は、この際、表面がいずれかの経路で、外から自由にアクセス可能であることを定義している。上述の経路とは、まっすぐな経路であるには及ばず、別の粒を横断するのではなく常に空気空間中で延在する経路のことである。アンダーカットとは、そこから、純粋に半径方向で（ブラシ毛縦軸に垂直の方向で）直線の経路が引き出されない空き空間である。
【００３０】
特に好都合であるのは、ブラシ毛に上述の微細構造を装備するのみならず、妥当な場合には、ブラシ毛担体を、そのブラシ毛のない領域（これは、周囲にあるブラシ毛担体から突出するブラシ毛間に存在する領域である）中においても、上述の種類の微細構造化された表面で装備することでありうる。このようにすることによっても、ブラシ毛担体のぬれ性ないしペースト貯蔵能力を設定しうる。
【００３１】
特に好都合であるのは、アプリケータコアないしブラシ毛担体が、注入され、押し出されまたは射出成形で製造されたプラスチック部分または金属部分であり、その上に層として塗布されたブラシ毛を備えている点が際立つアプリケータであると判明した。特にコスト効率が良い製造は、以下により達成可能であるが、すなわち、プラスチック成形部分または金属部分が、すでに（例えば、射出または挿入されたフィラメントによる）１セットのブラシ毛を装着していて、追加的なブラシ毛ないし特別なブラシ毛のみを、成形を行う層形成方法を用いて取り付けることができ、および／または、既存のブラシ毛に、成形を行う層形成方法を採用して、本発明により微細構造化された表面を単に被覆することにより取り付けることが達成可能である。
【００３２】
この点は、とりわけ、例えばリップアプリケータとして使用するために、ブラシ毛で縁付けをしていないアプリケータが、本発明により微細構造化された表面を備えている場合も該当する。
【００３３】
ここで、特に合目的であるのは、射出成形またはこれ以外の方法で成形されたアプリケータ素材を、完成したアプリケータを作るために用いるが、これを、この素材上に、成形を行う層形成方法を用いて、本発明により微細構造化された表面を塗布することにより行う場合である。好適な場合で、本発明により微細構造化された表面を局所的にのみ塗布するべきである限り、アプリケータ素材中には、好ましくは凹部が設けられていて、この凹部を、成形を行う層形成方法により充填する。これにより、本発明により微細構造化された表面への特に良好な係留が達成可能であり、かつ、微細構造化され領域と、従来の表面性質を備えた領域との間の選択的な境界付けが達成可能である。
【００３４】
この種のアプリケータの製造および／または本発明により構造化された表面を備えたアプリケータの製造についても保護を請求する。
【００３５】
ブラシ毛の一部分が射出成形されたブラシ毛であり、これらの間に、後の時点で、成形を行う層形成方法により追加的にブラシ毛が取り付けられていることが際立つアプリケータについても、および、この種のアプリケータの製造方法についても保護を請求する。
【００３６】
これにしたがって、すでに述べた種類のアプリケータの製造方法であって、以下の点、すなわち射出成形部として、アプリケータコアないしブラシ毛担体を製造し、このアプリケータコアないしブラシ毛担体には、上にブラシ毛を層として塗布する前に、処理、好適にはコロナ処理を施し、この処理が、アプリケータコアまたはブラシ毛担体の表面張力を高め、かつ好ましくは、前記表面張力の極性成分を高めるように設定されている点が際立っている方法についても保護を請求する。
【００３７】
この際特に好都合であるのは、上述のアプリケータコアないしブラシ毛担体の材料の表面張力が、塗布されるべき材料の表面張力よりも大きく設定されている場合である。
【００３８】
上で請求されている特徴に関連付けた保護、しかし単独で上で請求した特徴には全く依存せずにも保護を請求するのは、少なくとも、±２／１０００ｍｍまでの表面粗度を越えて構造化されている箇所では、深さ２／１０ｍｍまで、より良くは深さ４／１０ｍｍまで計測される縁層の支持部分の割合が５０％以下であるアプリケータである。この計測は、縁層の最も外側の表面上に、場合によっては。表面先端から、直接隣接する表面先端までの間に直線を置くようにして行われる。そこから、上述の分だけ、すなわち２／１０ｍｍまたは、好適には４／１０ｍｍ分だけ半径方向で内側に向かって計測される。この筋状部の内側で計測される「空気」の割合は、平均値では、少なくともこの筋状部の内側で計測されるプラスチックの割合以上である。
【００３９】
一般的には、アプリケータが本発明による表面構造を有する場合には、好適にはこのアプリケータは、１つの材料で実施されていて、すなわち、単一のプラスチック材料のみからなることが有効である。
【００４０】
さらなる作用、利点および構成可能性は、図面を説明した後続の実施形態に基づいて明らかになる。
【図面の簡単な説明】
【００４１】
【図１】先端領域が本発明により微細構造化されたブラシ毛のある実施形態を示す図であって、この先端のかなりの部分が除去されているが、これは、斜め線を付けたブラシ毛コアを見ると具体的に示されている。
【図２】図１の微細構造化されたブラシ毛先端の左側の細部拡大図である。
【図３】本発明のブラシ毛の本質的なサイズと側方への偏向性とを示した図である。
【図４】全体がブラシ毛で縁付けされていないリップアプリケータに、本発明を応用した例を示す図である。
【図５】全体がブラシ毛で縁付けされていないが、その代わりに追加的に巨視的な構造化がなされている別のリップアプリケータに、本発明を応用した例を示すが、この図は、前面部分を省略した単なる部分断面図である。
【発明を実施するための形態】
【００４２】
第１実施形態
図１は、プラスチック製のブラシ毛の上部分を示すが、このブラシ毛は、本発明によるブラシ毛アプリケータの縁付けを形成しうる。
【００４３】
本発明によるブラシ毛の長さＬＡＥは、通常３ｍｍ〜１０ｍｍである。本発明によるブラシ毛の最大のブラシ毛直径ＤＢは、通常０．０１ｍｍ〜０．０５ｍｍである。
【００４４】
本発明によるブラシ毛は、好適には柔軟性があり、すなわちこれは側方に偏向しうる。典型的には、この柔軟性の大きさは、ブラシ毛先端が、塗布時に生じる力により、可逆的な弾性をもって、ブラシ毛の最大直径（ブラシ毛がブラシ毛担体中に移行しうる面取り部分より上方で計測した値）の少なくとも４倍、より良くは少なくとも６倍のＢＴ量だけ、側方に偏向しうる程度でのものであるが、これは図３で示す通りである。
【００４５】
特に好都合であるのは、ブラシ毛がその根元からその先端に向かって先細り、好ましくは平均円すい角ＡＰが０．２°〜１０°である場合である。
【００４６】
本発明によるアプリケータは、典型的には、ここで述べたタイプのブラシ毛を７５〜７５０本有する。
【００４７】
ここでなお注記すべきは、ブラシ毛がブラシ毛担体中に一体的に移行する場合でも、ブラシ毛のプラスチックがブラシ毛担体のプラスチックと同一であるには及ばないとの点である。さらに有利でありえるのは、ブラシ毛が、異なる領域に沿って異なるプラスチックで製造されうる点である。したがって、例えば、ブラシ毛が往復運動することができるように、ブラシ毛をその根元領域において特に弾性プラスチックから製造し、これによりこの箇所で、ある種の継手を作ることが好都合であると判明した。
【００４８】
図１で示すブラシ毛では、ブラシ毛先端領域にのみ本発明による微細構造部が設けられている。追加的にさらなる隔離されたブラシ毛の領域に、この種の微細構造部を設けることも可能である。例えば既に上で述べた、ブラシ毛の周囲を取り囲む１つまたは複数の互いに間隔を空けた環状部をこのように装備することも可能である。これ以外のいくつかの応用例で特に有利であるのは、ブラシ毛全体に本発明による微細構造部を設けることである。
【００４９】
第２実施形態
本発明の第２実施形態は、図４の上半分で具体的に示し、第３実施形態は図４の下半分で具体的に示す。これは、リップアプリケータを扱っている。このリップアプリケータの素材は、好適には射出成形部として製造される。続いて、このリップアプリケータは、上述の方法で、部分的に本発明により微細構造化された表面を装備している。
【００５０】
第２実施形態の場合には、貯蔵部からある量の塗布されるべき化粧品を受容し、唇上に塗布するように定められたリップアプリケータの端面６が、本発明により装備されている。
【００５１】
見てわかるように、この場合、端面６の縁には、本発明により微細構造化された第１の領域７が設けられている。好ましくは、この領域７は、塗布されるべき化粧品がこの領域に特に良好に付着するように微細構造化されている。このようにして、汚れしみが回避または遅延可能になる。この領域がない場合は、まず端面６に付着して受容された粘着性化粧品のある量が滑り落ち、最終的に縁を介して端面から滴下することにより、この汚れしみが生じる恐れがある。
【００５２】
追加的にさらに第２の（大概５〜２５個の）微細構造化された領域８が存在する場合に、保持をさらに改良することができる。これらのさらなる微細構造化された領域８は、好ましくは互いに分かれた島部として形成されていて、これらの島のそれぞれは、個々に理想的には円形、長円、楕円または梅形状の表面伸張を有する。
【００５３】
好ましくはこの実施形態では、微細構造化された表面は、塗布面として意図されて設けられた面（大概、これは端面である）のうちのより小さい部分を占めるのみである。
【００５４】
図４の下半分が第３実施形態を模写している。
【００５５】
第３実施形態の場合、貯蔵部からある量の塗布されるべき化粧品を受容し、唇上に塗布するように定められているリップアプリケータの端面６も同様に、本発明により装備されている。この目的のために、微細構造化された領域９が設けられているが、この領域は、この場合は好ましくは、同心でまたは等距離の形状で配置されている環状部を有する。微細構造化された領域間では、これも同様に環状で存在する従来の領域１０が設けられていることができる。この配置も、ペースト貯蔵挙動およびペースト放出挙動に極めて良い影響を与える。本発明による表面構造を相応に設計する場合、微細構造化された領域９は、より多い量の化粧品を貯蔵部から引き出し、処理されるべき主要部分に搬送しうる。その後、塗布時に、微細構造化された領域により貯蔵されたペーストの一部分が、まず従来の領域中に押し出され、その後、この従来の領域から、処理されるべき主要部分へと特に迅速に排出される。
【００５６】
ここでなお注記すべきは、本発明により微細構造化された表面と、巨視的な表面構造とは、空間的に重複し、かつ好ましくはそれらの作用も補強しうる。これは、図５が図示している第４実施形態において明らかである。この場合、リップアプリケータにおいて、巨視的に隆起した領域１１が実施されている。これは、いずれにしても、少なくともある方向で、両側で上述の方向に沿って最大３ｍｍ離れた周辺（図５、寸法Ｗ）に対して少なくとも０．８ｍｍ突出する（図５、寸法Ａ）構造である。
【００５７】
図５の隆起した領域は、追加的に本発明により微細構造化された表面を備えていることにより、谷部１２のペースト貯蔵力を、有意に高めることができる。
【００５８】
あるいは、塗布されるべき化粧品ペーストのレオロジーにしたがって、谷部１２にのみ本発明により微細構造化された表面を装備する、または谷部１２に追加的に微細構造化された表面を装備することが有意義でありうる。
【００５９】
実施形態例において採用された微細構造部の詳細
【００６０】
（ブラシ毛の例についての）本発明による微細構造部の詳細は、図２に基づき十分認識可能である。
【００６１】
見てわかるように、ブラシ毛はブラシ毛コア４を有する。このブラシ毛コア４は、均一な組織または粒状の組織を有しうる。（図面では提示されていないが）ブラシ毛が冒頭で言及した柔軟性をもはや示さない程にブラシ毛の強度および弾性を低減させない限り、局所的な閉じ込められた空気または局所的な間隙がある場合にも、均一な組織であると言うことができる。
【００６２】
これに続く実施形態は、ブラシ毛のないアプリケータについても意味的に同様に当てはまる。このブラシ毛のないアプリケータも同様に、均一な組織または粒状の組織を備えた相応のアプリケータコアを有しうる。（図面としては提示されていないが）ブラシ毛がブラシ毛の強度および弾性を低減させない限り、局所的な閉じ込められた空気または局所的な間隙がある場合にも、均一な組織であると言うことができる。
【００６３】
双方の実施形態例については、意味的に同様に以下の点が該当する。
見てわかるように、微細構造化された領域中には、多数の粒２、３が、ブラシ毛１の表面から突出している。図２に基づいて十分認識できるように、これらの粒は、ここでブラシ毛を形成する外側表面の、自由で開かれた、すなわち最も外側の局所的な境界を有する。各粒をブラシ毛コア４から理論上分離しうる仮想上の最も短い断面は、本発明にとって本質的である粒２、３において、各粒の自由で開かれた外側表面の４０％未満である。
【００６４】
粒は、規定の大きさを有する。この大きさがいかに決められるかも、同様に図２に基づいて十分認識されうる。理論上の球が形成され、この中に、測定されるべき粒が内接する。粒が（光学的に計測して）まだ内接しうる可能な最も小さい球の半径が、粒の平均直径φＭを示す。この平均直径φＭは、本発明による粒では１２５μｍ以下である。
【００６５】
好ましくは、この際、より大きい第１の粒２と、より小さい第２の粒３との間には差があり、これらの双方の種類の粒が図２中で十分認識されうる。
【００６６】
より大きい粒２が際立っている点は、平均直径φＭが少なくとも３０μｍである点である。これに反して好ましくは追加的に存在するより小さい粒２は、平均直径φＭが３０μｍ未満、好ましくは２５μｍ未満でさえあることが際立っている。
【００６７】
図２に基づいて容易に理解できる点は、本発明による微細構造部が、多数のアンダーカットを備えた、荒れてごつごつした表面を形成し、このアンダーカットが、化粧品ペーストにより充填されうるようなディメンジョンとなっている。このようにして、多数の突起部および切り欠きが生じ、ここに、化粧品ペーストが保持されうる。したがって、化粧品ペーストが、滑らかなプラスチック表面を難なく滑らかに湿らせるように設定されている場合でも、この化粧品ペーストをこの表面に良好に充填するようにすることができる。
【００６８】
直接隣接するが互いに接触しない粒が規則的に現れるように、製造方法が設定される場合に、保持効果はさらに補強されうる。
【００６９】
好都合な場合、粒どうしが互いに対して最も小さい間隔ＫＡを有する箇所から、粒がブラシ毛コアに繋げられている領域Ｂまでの間で、粒間の間隔が再び大きくなるように、これらの粒がブラシ毛コアに繋げられている。
【００７０】
このようにして、これらは特に良好な保持効果を発揮するような対向するアンダーカットが作られる。
【００７１】
この種の位置関係は、図２中で、図の中央の少し上方に図示されていて、参照符号が付けられている。
【００７２】
アプリケータコアないしブラシ毛担体が、事前に製造された部分として、およびとりわけ射出成形部として製造され、その上に、層として構造化された表面またはブラシ毛が塗布される場合には常に、塗布されるべき材料の良好な接着を確保するために、上述の素材の表面に対して、構造化された表面を調製する処理を施すことが有意義である。この点は、上述の素材がポリエチレン、ポリプロピレンおよびポリエステルで製造されている場合に、特に該当する。
【００７３】
この場合、適切な処理方法は、コロナ処理、および場合によってはこれに代えて、フッ素化または炎熱処理ないしプラズマ処理である。これらの方法の目的は、表面の極性を高めることであり、これによりぬれ性および化学的親和性が明らかに改良されうる。
【００７４】
コロナ処理は、大抵素材の製造プロセスの最後に「インラインで」行われる。素材は、例えば円筒状のブラシ毛担体であってまだブラシ毛用付け根がない物が、ここで高電圧放電にさらされる。この放電は、接地され、研磨された鋼鉄製またはアルミニウム製の板またはローラと、狭い間隔で置かれた絶縁性の電極との間で行われる。
【００７５】
応用分野に応じて、非絶縁性の電極に対して絶縁性のローラを採用することも可能である。
【００７６】
この際、ブラシ毛担体は、電極の周りで回転する。電極には、交流電圧が１０〜２０ｋＶで、周波数が１０〜６０ｋＨｚの高周波発生器により給電される。
【符号の説明】
【００７７】
１  ブラシ毛
２  第１の粒
３  第２の粒
４  ブラシ毛コア
５  アンダーカット
６  リップアプリケータの端面（塗布面）
７  微細構造化された表面を装備した（第１の）領域
８  微細構造化された表面を装備した（第２の）領域
９  微細構造化された表面を装備した（さらなる）領域
１０  従来の領域
１１  （巨視的に）隆起した領域
１２  谷部
Ｒ  半径方向
Ｂ  粒がブラシ毛コア４に繋がれている領域
ＫＡ  ２つの直接隣接する粒どうしの最小間隔
Ｌ  ブラシ毛の縦軸
φＭ  粒の平均直径
φＭａｘ  粒の最大の周囲
ＬＡＥ  ブラシ毛長
ＤＢ  最大のブラシ毛直径
ＢＴ  ブラシ毛が可逆的に偏向しうる量
ＡＢ  ブラシ毛の平均円すい角／先細り角度
Ａ  隆起した領域の隆起の寸法
Ｗ  隆起していない領域（谷部）から隆起までの距離の寸法
【図１】
2019528923.tif 000003
【図２】
2019528923.tif 000004
【図３】
2019528923.tif 000005
【図４】
2019528923.tif 000006
【図５】
2019528923.tif 000007
【国際調査報告】
2019528923.tif 000008
2019528923.tif 000009
2019528923.tif 000010
2019528923.tif 000011